(57)【要約】【課題】  画像表示装置が端末装置からの指示に応じて画像の内容を変更して表示する状況で、端末装置のユーザーによる誤操作を低減することが可能な画像表示装置等を提供すること。【解決手段】  画像表示装置の一種であるプロジェクター１００が、第１の画像を生成する表示側の画像生成部１６０と、第１の画像を表示する表示側表示部である投写部１９０と、端末装置から第１の画像の内容変更指示を示す指示情報を受信する表示側通信部１１０と、内容変更指示に応じて第１の画像が変更された第２の画像の表示に先立って、当該第２の画像を示すプレビュー画像情報を生成する表示側の情報生成部１３０を含み、通信部１１０が、第２の画像の表示に先立って、プレビュー画像情報を端末装置へ向け送信する。【選択図】  図２
2012194324.tif 000002
【特許請求の範囲】
【請求項１】
第１の画像を生成する表示側画像生成部と、
前記第１の画像を表示する表示側表示部と、
端末装置から前記第１の画像の内容変更指示を示す指示情報を受信する表示側通信部と、
前記内容変更指示に応じて前記第１の画像が変更された第２の画像の表示に先立って、当該第２の画像を示すプレビュー画像情報を生成する表示側情報生成部と、
を含み、
前記表示側通信部は、前記第２の画像の表示に先立って、前記プレビュー画像情報を前記端末装置へ向け送信する、
画像表示装置。
【請求項２】
請求項１に記載の画像表示装置において、
前記表示側通信部は、前記プレビュー画像情報の送信後、前記端末装置からキャンセルを示す情報を受信し、
前記表示側画像生成部は、前記表示側通信部によって前記キャンセルを示す情報が受信されると、前記構成変更指示に応じた変更を行わない、
画像表示装置。
【請求項３】
請求項１または請求項２に記載の画像表示装置において、
前記表示側通信部は、前記プレビュー画像情報の送信後、前記端末装置から変更を示す情報を受信し、
前記表示側画像生成部は、前記表示側通信部によって前記変更を示す情報が受信されると、前記構成変更指示に応じて変更を行った前記第２の画像を生成し、
前記表示側表示部は、前記第２の画像を表示する、
画像表示装置。
【請求項４】
請求項１〜３のいずれか１項に記載の画像表示装置において、
前記表示側通信部は、複数の端末装置から画像情報を受信し、
前記表示側画像生成部は、前記第１の画像として、前記端末装置ごとの画像情報に基づく個別画像を含む全体画像を生成し、
前記表示側表示部は、前記全体画像を表示する、
画像表示装置。
【請求項５】
第１の画像を表示する画像表示装置へ向け、前記第１の画像の内容変更指示を示す指示情報を送信するとともに、前記内容変更指示に応じて前記第１の画像が変更された第２の画像の前記画像表示装置における表示に先立って、当該第２の画像を示すプレビュー画像情報を受信する端末側通信部と、
前記プレビュー画像情報に基づくプレビュー画像を生成する端末側画像生成部と、
前記プレビュー画像を表示する端末側表示部と、
操作を受け付ける受付部と、
前記操作に応じて前記指示情報を生成する端末側情報生成部と、
を含む端末装置。
【請求項６】
請求項５に記載の端末装置において、
前記画像表示装置は、複数の前記端末装置から画像情報を受信し、前記第１の画像として、前記端末装置ごとの画像情報に基づく個別画像を含む全体画像を表示する装置であって、
前記端末側画像生成部は、前記全体画像の構成を変更するための画像であって、かつ、前記全体画像における前記個別画像の配置を示す個別画像配置領域と、前記端末装置ごとのアイコンを含むアイコン配置領域とを含む構成変更画像を生成し、
前記端末側表示部は、前記構成変更画像を表示し、
前記受付部は、各アイコンに関する操作に応じて前記構成の変更に関する操作を受け付け、
前記端末側情報生成部は、前記構成の変更に関する操作に応じて前記指示情報を生成する、
端末装置。
【請求項７】
請求項１〜４のいずれか１項に記載の前記画像表示装置と、
請求項５または請求項６に記載の前記端末装置と、
を含む画像表示システム。
【請求項８】
端末装置が、
画像表示装置で表示される第１の画像の内容変更指示を示す操作を受け付け、
当該操作に応じて前記内容変更指示を示す指示情報を前記画像表示装置へ向け送信し、
前記画像表示装置が、
前記端末装置から前記指示情報を受信し、
前記内容変更指示に応じて前記第１の画像が変更された第２の画像の表示に先立って、当該第２の画像を示すプレビュー画像情報を生成して前記端末装置へ向け送信し、
前記端末装置が、
前記画像表示装置から前記プレビュー画像情報を受信し、
前記プレビュー画像情報に基づくプレビュー画像を生成して表示する、
画像表示方法。
【発明の詳細な説明】
【技術分野】
【０００１】
本発明は、画像表示装置、端末装置、画像表示システムおよび画像表示方法に関する。
【背景技術】
【０００２】
例えば、特開２００４−５４７８３号公報では、複数の端末機器からサイズ変換処理されたキャプチャー画像データを受信して１画面の画像データに合成して表示する表示システムが記載されている。また、当該公報では、ユーザーが、画像表示装置のリモコン（リモートコントローラー）を操作することにより、特定の端末装置の画像を拡大表示したり、消去したり、追加したりすることが記載されている。
【先行技術文献】
【特許文献】
【０００３】
【特許文献１】特開２００４−５４７８３号公報
【発明の概要】
【発明が解決しようとする課題】
【０００４】
しかし、例えば、会議等では参加者からの要求に応じてプレゼンターがリモコンで当該参加者の使用する端末装置の画像の拡大等を行う場合、プレゼンターが、当該画像の特定、要求内容の把握、要求に応じたリモコン操作を行わなければならず、操作に時間がかかってしまう。上記公報では、拡大表示させる分割画面等を端末装置側からも指定することが可能であると記載されているが、具体的な手法は記載されていない。また、このような端末装置側からの指定に応じて画像表示装置が表示する画像の構成が変化する場合、端末装置のユーザーが誤って操作することにより、画像表示装置によって誤った画像が表示されてしまうことがある。
【０００５】
本発明にかかるいくつかの態様は、上記課題を解決することにより、画像表示装置が端末装置からの指示に応じて画像の内容を変更して表示する状況で、端末装置のユーザーによる誤操作を低減することが可能な画像表示装置、端末装置、画像表示システムおよび画像表示方法を提供するものである。
【課題を解決するための手段】
【０００６】
本発明の態様の１つである画像表示装置は、第１の画像を生成する表示側画像生成部と、前記第１の画像を表示する表示側表示部と、端末装置から前記第１の画像の内容変更指示を示す指示情報を受信する表示側通信部と、前記内容変更指示に応じて前記第１の画像が変更された第２の画像の表示に先立って、当該第２の画像を示すプレビュー画像情報を生成する表示側情報生成部と、を含み、前記表示側通信部は、前記第２の画像の表示に先立って、前記プレビュー画像情報を前記端末装置へ向け送信することを特徴とする。
【０００７】
また、本発明の態様の１つである端末装置は、第１の画像を表示する画像表示装置へ向け、前記第１の画像の内容変更指示を示す指示情報を送信するとともに、前記内容変更指示に応じて前記第１の画像が変更された第２の画像の前記画像表示装置における表示に先立って、当該第２の画像を示すプレビュー画像情報を受信する端末側通信部と、前記プレビュー画像情報に基づくプレビュー画像を生成する端末側画像生成部と、前記プレビュー画像を表示する端末側表示部と、操作を受け付ける受付部と、前記操作に応じて前記指示情報を生成する端末側情報生成部と、を含むことを特徴とする。
【０００８】
また、本発明の態様の１つである画像表示システムは、前記画像表示装置と、前記端末装置と、を含むことを特徴とする。
【０００９】
また、本発明の態様の１つである画像表示方法は、端末装置が、画像表示装置で表示される第１の画像の内容変更指示を示す操作を受け付け、当該操作に応じて前記内容変更指示を示す指示情報を前記画像表示装置へ向け送信し、前記画像表示装置が、前記端末装置から前記指示情報を受信し、前記内容変更指示に応じて前記第１の画像が変更された第２の画像の表示に先立って、当該第２の画像を示すプレビュー画像情報を生成して前記端末装置へ向け送信し、前記端末装置が、前記画像表示装置から前記プレビュー画像情報を受信し、前記プレビュー画像情報に基づくプレビュー画像を生成して表示することを特徴とする。
【００１０】
本発明によれば、画像表示装置が変更後の第２の画像の表示に先立ってプレビュー画像情報を送信し、端末装置がプレビュー画像情報に基づくプレビュー画像を表示することができるため、端末装置のユーザーは、画像表示装置での表示が変更される前に変更後の内容を確認することができる。これにより、画像表示装置等は、端末装置のユーザーによる誤操作を低減することができる。
【００１１】
また、前記表示側通信部は、前記プレビュー画像情報の送信後、前記端末装置からキャンセルを示す情報を受信し、前記表示側画像生成部は、前記表示側通信部によって前記キャンセルを示す情報が受信されると、前記構成変更指示に応じた変更を行わなくてもよい。これによれば、画像表示装置は、端末装置のユーザーが、プレビュー画像を表示した状態でキャンセルを行うことにより、ユーザーの誤操作によって第２の画像を表示することを防止することができる。
【００１２】
また、前記表示側通信部は、前記プレビュー画像情報の送信後、前記端末装置から変更を示す情報を受信し、前記表示側画像生成部は、前記表示側通信部によって前記変更を示す情報が受信されると、前記構成変更指示に応じて変更を行った前記第２の画像を生成し、前記表示側表示部は、前記第２の画像を表示してもよい。これによれば、画像表示装置は、端末装置のユーザーが、プレビュー画像を表示した状態で変更指示を行うことにより、ユーザーに確認させた後に第２の画像を表示することができるため、ユーザーの誤操作によって第２の画像を表示することを防止することができる。
【００１３】
また、前記表示側通信部は、複数の端末装置から画像情報を受信し、前記表示側画像生成部は、前記第１の画像として、前記端末装置ごとの画像情報に基づく個別画像を含む全体画像を生成し、前記表示側表示部は、前記全体画像を表示してもよい。これによれば、画像表示装置は、複数の端末装置からの画像情報を受信することにより、変更指示に応じて全体画像に新たな個別画像を追加する場合等においても、プレビュー画像情報を生成することができるため、よりスムーズに端末装置のユーザーに変更後の内容を確認させることができる。
【００１４】
また、前記画像表示装置は、複数の前記端末装置から画像情報を受信し、前記第１の画像として、前記端末装置ごとの画像情報に基づく個別画像を含む全体画像を表示する装置であって、前記端末側画像生成部は、前記全体画像の構成を変更するための画像であって、かつ、前記全体画像における前記個別画像の配置を示す個別画像配置領域と、前記端末装置ごとのアイコンを含むアイコン配置領域とを含む構成変更画像を生成し、前記端末側表示部は、前記構成変更画像を表示し、前記受付部は、各アイコンに関する操作に応じて前記構成の変更に関する操作を受け付け、前記端末側情報生成部は、前記構成の変更に関する操作に応じて前記指示情報を生成してもよい。これによれば、端末装置のユーザーは、アイコン操作によって全体画像の構成を変更する場合に、画像表示装置での全体画像の表示が変更される前に変更後の全体画像を確認することができる。
【図面の簡単な説明】
【００１５】
【図１】第１の実施例における画像表示システムの一例を示す図である。
【図２】第１の実施例におけるプロジェクターの機能ブロック図である。
【図３】第１の実施例におけるプロジェクターのハードウェアブロック図である。
【図４】第１の実施例におけるＰＣの機能ブロック図である。
【図５】第１の実施例における画像表示手順を示すフローチャートである。
【図６】第１の実施例における構成変更画像の一例を示す図である。
【図７】第１の実施例における全体画像の一例を示す図である。
【図８】第１の実施例における構成変更画像の他の一例を示す図である。
【図９】第１の実施例における全体画像の他の一例を示す図である。
【発明を実施するための形態】
【００１６】
以下、本発明をプロジェクターとＰＣ（Personal Computer）を用いた画像表示システムに適用した実施例について、図面を参照しつつ説明する。なお、以下に示す実施例は、特許請求の範囲に記載された発明の内容を何ら限定するものではない。また、以下の実施例に示す構成のすべてが、特許請求の範囲に記載された発明の解決手段として必須であるとは限らない。
【００１７】
（第１の実施例）
図１は、第１の実施例における画像表示システムの一例を示す図である。画像表示システムは、ハブ３００を介して有線接続されたプロジェクター（画像表示装置）１００と、４台のＰＣ（端末装置）２００−１〜２００−４を含んで構成されている。なお、ＰＣ２００の台数は４台に限定されない。また、接続方式は、有線接続に限定されず、無線接続であってもよい。
【００１８】
各ＰＣ２００は、自装置で表示中の画像をキャプチャーして画像情報としてプロジェクター１００に送信する。プロジェクター１００は、当該画像情報に基づく個別画像２０を含む全体画像３０をスクリーン１０に投写する。なお、ここでは、４つの個別画像２０−１〜２０−４が使用されているが、プロジェクター１００は、ＰＣ２００での操作に応じて全体画像３０に含まれる個別画像２０の構成を変更することが可能である。
【００１９】
本実施例のプロジェクター１００は、全体画像３０の構成変更要求があった際に、全体画像（第１の画像）３０の構成を変更する前に、変更後の画像（第２の画像）を示すプレビュー画像情報を生成し、上記構成変更要求を行ったＰＣ２００に送信する機能を有している。また、ＰＣ２００は、上記構成変更要求を行い、受信したプレビュー画像情報に基づくプレビュー画像を表示する機能を有している。次に、このような機能を有するプロジェクター１００およびＰＣ２００の機能ブロックについて説明する。
【００２０】
図２は、第１の実施例におけるプロジェクター１００の機能ブロック図である。プロジェクター１００は、ＰＣ２００と情報を送受信する（表示側）通信部１１０と、（表示側）記憶部１２０と、プレビュー画像情報等を生成する（表示側）情報生成部１３０と、（表示側）制御部１５０と、（表示側）画像生成部１６０と、投写部（表示側表示部）１９０を含んで構成されている。また、記憶部１２０は、画像データ１２２、全体画像３０の構成を示す設定データ１２４等を記憶している。
【００２１】
また、プロジェクター１００は、以下のハードウェアを用いてこれらの各部として機能してもよい。図３は、第１の実施例におけるプロジェクター１００のハードウェアブロック図である。例えば、通信部１１０は有線通信ユニット９１０等、記憶部１２０は、ＲＡＭ９２０、フラッシュＲＯＭ９２２等、情報生成部１３０、制御部１５０はＣＰＵ９３０等、画像生成部１６０は画像処理回路９６０等、投写部１９０は、ランプ駆動回路９９０、ランプ９９１、照明光学系９９２、液晶駆動回路９９３、液晶ライトバルブ９９４、レンズ９９５等であってもよい。
【００２２】
次に、ＰＣ２００の機能ブロックについて説明する。図４は、第１の実施例におけるＰＣ２００の機能ブロック図である。ＰＣ２００は、プロジェクター１００と情報を送受信する（端末側）通信部２１０と、（端末側）記憶部２２０と、（端末側）情報生成部２３０と、ユーザーによる操作を受け付ける受付部２４０と、（端末側）制御部２５０と、（端末側）画像生成部２６０と、（端末側）表示部２９０を含んで構成されている。また、記憶部２２０は、画像データ２２２、設定データ２２４等を記憶している。なお、ＰＣ２００のハードウェア構成は一般的なものであるため、説明を省略する。
【００２３】
次に、プロジェクター１００およびＰＣ２００における全体画像３０等の表示手順について説明する。図５は、第１の実施例における画像表示手順を示すフローチャートである。各ＰＣ２００の情報生成部２３０は、画像生成部２６０によって生成される画像をキャプチャーして画像情報を生成し、通信部２１０は、当該画像情報をプロジェクター１００へ向け送信する（ステップＳ１）。プロジェクター１００の通信部１１０は、各ＰＣ２００から画像情報を受信し、制御部１５０は、当該画像情報に基づき、画像データ１２２を更新する（ステップＰ１）。
【００２４】
なお、本実施例では、全体画像３０で表示対象となっているかどうかにかかわらず、各ＰＣ２００の通信部２１０は画像情報をプロジェクター１００に送信し、プロジェクター１００の通信部１１０は各ＰＣ２００から画像情報を受信する。また、ＰＣ２００の通信部２１０は、連続的にキャプチャーされた動画像を示す画像情報を送信してもよいし、静止画像を示す画像情報を送信してもよい。
【００２５】
画像生成部１６０は、画像データ１２２、設定データ１２４に基づき、設定に応じた個別画像２０を含む全体画像３０を生成し、投写部１９０は、当該全体画像３０を投写する（ステップＰ２）。一方、ＰＣ２００の画像生成部２６０は、画像データ２２２、設定データ２２４に基づき、後述する構成変更画像を生成し、表示部２９０は、当該構成変更画像を表示する（ステップＳ２）。構成変更画像が表示された状態で、ユーザーは、全体画像３０の構成を変更する操作を行い、制御部２５０は、受付部２４０によって受け付けられた当該操作に応じて全体画像３０の内容変更指示を示す指示情報を生成し、通信部２１０に当該指示情報をプロジェクター１００へ向け送信させる（ステップＳ３）。
【００２６】
プロジェクター１００の通信部１１０は、ＰＣ２００からの指示情報を受信し、情報生成部１３０は、当該指示情報と、画像データ１２２に基づき、上記内容変更指示に応じた変更後の画像を示すプレビュー画像情報を生成し、通信部１１０は、当該プレビュー画像情報を、当該指示情報を送信したＰＣ２００へ向け送信する（ステップＰ３）。当該ＰＣ２００の通信部２１０は、当該プレビュー画像情報を受信し、プレビュー画像情報に基づき、変更指示に応じて構成が変更された全体画像を示すプレビュー画像を生成し、表示部２９０は、当該プレビュー画像を表示する（ステップＳ４）。
【００２７】
ここで、構成変更画像が表示された状態での操作による全体画像の変化について説明する。図６は、第１の実施例における構成変更画像５００の一例を示す図である。また、図７は、第１の実施例における全体画像３１の一例を示す図である。また、図８は、第１の実施例における構成変更画像５０１の他の一例を示す図である。また、図９は、第１の実施例における全体画像３０の他の一例を示す図である。
【００２８】
構成変更画像５００は、全体画像３０、３１を構成する個別画像２０の個数を変更するための表示モードボタン画像５１０〜５１４、２行２列の４つの表示対象領域５３１〜５３４で構成される個別画像配置領域５３０、全体画像３０の表示を指示するための表示ボタン画像５２０、全体画像３０に代えてユーザーロゴ画像等を表示する指示を行うための画像ミュートボタン画像５２２、現在の全体画像３０の表示を維持する指示を行うための一時停止ボタン画像５２４、各ＰＣ２００にそれぞれが対応付けられたアイコン５５０〜５５６が配置されるアイコン配置領域５４０、操作に応じて表示対象領域５３１〜５３４上を移動し、表示する個別画像２０を選択させるための矩形状のカーソル画像５９０等を含む。また、構成変更画像５００は、「ファイル」、「ツール」、「ヘルプ」を示すメニュー画像、接続プロジェクター名を示す画像等を含む。
【００２９】
例えば、図６に示す構成変更画像５００は、ＰＣ２００−１（コンピューター名は「ＣＰＡ」）の画面で表示される画像である。個別画像配置領域５３０において、左上領域にある表示対象領域５３１にＣＰＡを示すマーク画像５７０が配置され、右上領域にある表示対象領域５３２にＣＰＢ（ＰＣ２００−２）を示すマーク画像５７２が配置され、左下領域にある表示対象領域５３３にＣＰＣ（ＰＣ２００−３）を示すマーク画像５７４が配置され、右下領域にある表示対象領域５３４には、マーク画像が配置されていないため、マーク画像が窪んだ形状である窪み画像５８０が配置されている。また、全体画像３０において表示中である場合はマーク画像５７０〜５７４の背景が白で表示され、表示中でない場合はマーク画像５７０〜５７４の背景がグレーで表示される。例えば、図６に示すカーソル画像５９０が表示対象領域５３１の位置にある状態で表示モードボタン画像５１２が選択された場合を表す例では、マーク画像５７０、５７２の背景が白になっており、全体画像３０にＰＣ２００−１、２００−２の２つの個別画像が左右に並んで配置されていることを示す。なお、窪み画像５８０の背景はグレーである。
【００３０】
また、アイコン配置領域５４０において、右側の他装置領域５４４には参加順（プロジェクター１００への接続順）に左から他のＰＣ２００を示すアイコン５５２〜５５６が配置され、左側の自装置領域５４２には参加順にかかわらず固定的に自装置を示すアイコン５５０が配置される。また、アイコン５５０〜５５６の背景は個別画像配置領域５３０における表示状態に応じて変化する。例えば、図６に示す例では、マーク画像が表示され、かつ、個別画像が表示されている表示中状態であるアイコン５５０、５５２の背景にあるアイコン背景画像５６０、５６２は白で表示され、マーク画像が表示され、かつ、個別画像が表示されていない表示待機状態であるアイコン５５４の背景にあるアイコン背景画像５６４はグレーで表示され、マーク画像が表示されていない非表示状態であるアイコン５５６の背景には何も表示されていない。さらに、自端末装置のアイコン５５０は他端末装置のアイコン５５２〜５５６より大きく表示され、自端末装置のマーク画像５７０は他端末装置のマーク画像５７２、５７４より大きく表示されている。また、アイコン５５０〜５５６はそれぞれが異なる色で表示され、マーク画像５７０〜５７４もそれぞれが異なる色で表示される。さらに、アイコン５５０〜５５６およびマーク画像５７０〜５７４にはＰＣ２００のホスト名（ユーザーによる名称設定も可能）が付加されて表示される。
【００３１】
図６に示す構成変更画像５００では、ＰＣ２００−１、２００−２が表示対象になっているため、図７に示すように、プロジェクター１００によって投写される全体画像３１では、個別画像２０−１、２０−２が左右に並べて表示される。上述したように、この場合であっても、通信部１１０は、すべてのＰＣ２００−１〜２００−４からの画像情報を受信する。
【００３２】
また、図６に示す構成変更画像５００の状態で、ＰＣ２００−１のユーザーが、アイコン５５６をドラッグアンドドロップ操作によって表示対象領域５３４に配置し、全体画像３０に含まれる個別画像２０の個数を４個に変更することを示す表示モードボタン画像５１４をクリックすると、ステップＳ３の処理によって、個別画像２０を構成するＰＣ２００の識別情報、配置、表示有無を示す指示情報がプロジェクター１００に送信される。
【００３３】
この場合、ＰＣ２００−１の画像生成部２６０は、プロジェクター１００からのプレビュー画像情報に基づき、図８に示すように、プレビュー画像６００を含む構成変更画像５０１を生成する。プレビュー画像６００は、４つの個別画像２０に対応した各ＰＣ２００からの画像情報に基づく静止画像を示す４つの画像、変更を反映することを指示するための「変更」ボタン画像、変更を反映しないことを指示するための「キャンセル」ボタン画像を含む。
【００３４】
制御部２５０は、受付部２４０からの情報に基づき、ユーザーによって「変更」ボタン画像がクリックされたかどうかを判定し（ステップＳ５）、「変更」ボタン画像がクリックされずに「キャンセル」ボタン画像がクリックされれば、情報生成部２３０は、「キャンセル」ボタン画像がクリックされたことを示すキャンセル通知情報を生成し、通信部２１０は、当該キャンセル通知情報をプロジェクター１００へ向け送信する（ステップＳ６）。一方、情報生成部２３０は、「変更」ボタン画像がクリックされれば、「変更」ボタン画像がクリックされたことを示す変更通知情報を生成し、通信部２１０は、当該変更通知情報をプロジェクター１００へ向け送信する（ステップＳ７）。
【００３５】
プロジェクター１００の制御部１５０は、通信部１１０によって変更通知情報が受信されたかどうかを判定し（ステップＰ４）、変更通知情報が受信されれば、当該変更通知情報で示される変更内容が反映されるように設定データ１２４を更新し、情報生成部１３０は、当該設定データ１２４の内容を示す設定情報を生成し、通信部１１０は、当該設定情報を各ＰＣ２００へ向け送信する（ステップＰ５）。これにより、次回の全体画像の投写時に変更後の内容が反映された状態で、例えば、図９に示す全体画像３０が投写される。なお、キャンセル通知情報が受信された場合は、制御部１５０は、設定データ１２４を更新しない。
【００３６】
各ＰＣ２００の通信部２１０は、当該設定情報を受信し、制御部１５０は、当該設定情報に基づき、設定データ２２４を更新する（ステップＳ８）。これにより、次回の構成変更画像の表示時に変更後の内容が反映された状態で構成変更画像が表示される。
【００３７】
以上のように、本実施例によれば、プロジェクター１００は、変更後の画像の表示に先立ってプレビュー画像情報を送信し、ＰＣ２００がプレビュー画像情報に基づくプレビュー画像６００を表示することができるため、ＰＣ２００のユーザーは、プロジェクター１００での表示が変更される前に変更後の内容を確認することができる。これにより、プロジェクター１００は、ＰＣ２００のユーザーによる誤操作を低減することができる。
【００３８】
また、本実施例によれば、プロジェクター１００は、ＰＣ２００のユーザーが、プレビュー画像６００を表示した状態でキャンセルを行うことにより、ユーザーの誤操作によって変更後の全体画像３０を表示することを防止することができる。また、本実施例によれば、プロジェクター１００は、ＰＣ２００のユーザーが、プレビュー画像６００を表示した状態で変更指示を行うことにより、ユーザーに確認させた後に変更後の全体画像３０を表示することができるため、ユーザーの誤操作によって全体画像３０を表示することを防止することができる。
【００３９】
さらに、本実施例によれば、プロジェクター１００は、全体画像３０における個別画像２０の表示有無にかかわらず、表示対象となり得るすべてのＰＣ２００からの画像情報を受信することにより、表示中でないＰＣ２００の画像も含めたプレビュー画像を示すプレビュー画像情報を生成し、ＰＣ２００に送信することができる。これにより、ＰＣ２００のユーザーは、アイコン操作によって全体画像３１の構成を変更する場合に、プロジェクター１００での全体画像３１の表示が変更される前に変更後の全体画像３０を確認することができる。
【００４０】
（その他の実施例）
なお、本発明の適用は上述した実施例に限定されず、変形が可能である。例えば、第１の画像を第２の画像に変更する内容変更指示は、全体画像３０における個別画像２０の配置の変更に限定されず、例えば、第１の画像の大きさ等を変更する変形、第１の画像に対して下線を引く等の強調、供給装置（ソース）を変更することによる第１の画像から第２の画像への変更等であってもよい。
【００４１】
また、ＰＣ２００の画像生成部２６０は、上述したドラッグアンドドロップ操作中（ドラッグ中）に「配置可能」、「投写可能」、「割り込み可能」、「非表示」等のヘルプを示す画像やドロップ先を示す画像を含む構成変更画像を生成し、表示部２９０は、当該構成変更画像を表示してもよい。これによれば、ユーザーは、ドラッグアンドドロップ操作が完了していない状態でも、操作結果を把握したり、どのような操作を行えばよいかを把握したりすることができる。なお、アイコンに関する操作は、ドラッグアンドドロップ操作に限定されず、例えば、クリック操作、右クリック操作、ダブルクリック操作、ドラッグ操作、フリック操作等であってもよい。
【００４２】
また、プレビュー画像６００は、構成変更画像５０１の前面に非透過で配置されているが、背景が透過された状態で表示されてもよいし、構成変更画像５００、５０１に代えてプレビュー画像６００のみが表示されてもよい。また、プレビュー画像６００における「変更」および「キャンセル」は必須ではなく、例えば、キーボード操作によって変更やキャンセルが行われてもよい。また、プロジェクター１００の画像生成部１６０は、プレビュー画像情報が送信されてから一定時間（例えば、１分等）経過後、キャンセル通知情報が受信されなければ、自動的に内容変更指示に応じた第２の画像を生成してもよい。
【００４３】
また、画像表示装置は、プロジェクター１００に限定されず、例えば、ディスプレイ、画像表示機能を有するホワイトボード、テレビ等であってもよい。また、端末装置は、ＰＣ２００に限定されず、例えば、携帯情報端末装置、携帯電話等であってもよい。例えば、タッチ操作に対応した携帯情報端末装置の場合、誤操作が発生しやすいが、上述した実施形態を適用することにより、ユーザーの誤操作によって画像表示装置の表示が変更されることがなく、ユーザーは快適かつ正確にタッチ操作を行うことができる。
【００４４】
また、プロジェクター１００の有するコンピューターは、情報記憶媒体に記憶されたプログラムを読み取って情報生成部１３０等として機能してもよい。また、ＰＣ２００の有するコンピューターは、情報記憶媒体に記憶されたプログラムを読み取って情報生成部２３０等として機能してもよい。このような情報記憶媒体としては、例えば、ＣＤ−ＲＯＭ、ＤＶＤ−ＲＯＭ、ＲＯＭ、ＲＡＭ、ＨＤＤ等を適用できる。
【００４５】
また、プロジェクター１００は、液晶プロジェクター（透過型、ＬＣＯＳ等の反射型）に限定されず、例えば、デジタルマイクロミラーデバイスを用いたプロジェクター等であってもよい。また、プロジェクター１００は、前面投写型のプロジェクターに限定されず、背面投写型のプロジェクターであってもよく、天吊り形態で使用されてもよい。また、投写部１９０は、ランプの代わりに有機ＥＬ素子、シリコン発光素子、レーザーダイオード、ＬＥＤ等の固体光源を含む自己発光素子を採用してもよい。また、プロジェクター１００の機能を複数の装置（例えば、ＰＣとプロジェクター等）に分散してもよい。
【符号の説明】
【００４６】
１０  スクリーン、２０  個別画像、３０、３１  全体画像、１００  プロジェクター（画像表示装置）、１１０  通信部（表示側通信部）、１２０  記憶部（表示側記憶部）、１２２  画像データ、１２４  設定データ、１３０  情報生成部（表示側情報生成部）、１５０  制御部（表示側制御部）、１６０  画像生成部（表示側画像生成部）、１９０  投写部（表示側表示部）、２００  ＰＣ（端末装置）、２１０  通信部（端末側通信部）、２２０  記憶部（端末側記憶部）、２２２  画像データ、２２４  設定データ、２３０  情報生成部（端末側情報生成部）、２４０  受付部、２５０  制御部（端末側制御部）、２６０  画像生成部（端末側画像生成部）、２９０  表示部（端末側表示部）、３００  ハブ、５００、５０１  構成変更画像、５１０〜５１４  表示モードボタン画像、５２０  表示ボタン画像、５２２  画像ミュートボタン画像、５２４  一時停止ボタン画像、５３０  個別画像配置領域、５３１〜５３４  表示対象領域、５４０  アイコン配置領域、５４２  自装置領域、５４４  他装置領域、５５０〜５５６  アイコン、５６０〜５６４  アイコン背景画像、５７０〜５７４  マーク画像、５８０  窪み画像、５９０  カーソル画像、６００  プレビュー画像、９１０  有線通信ユニット、９２０  ＲＡＭ、９２２  フラッシュＲＯＭ、９３０  ＣＰＵ、９６０  画像処理回路、９９０  ランプ駆動回路、９９１  ランプ、９９２  照明光学系、９９３  液晶駆動回路、９９４  液晶ライトバルブ、９９５  レンズ
【図１】
2012194324.tif 000003
【図２】
2012194324.tif 000004
【図３】
2012194324.tif 000005
【図４】
2012194324.tif 000006
【図５】
2012194324.tif 000007
【図７】
2012194324.tif 000008
【図９】
2012194324.tif 000009
【図６】
2012194324.tif 000010
【図８】
2012194324.tif 000011